(57)【要約】【課題】記録されている複数の番組の中から、連続番組の録画総数をわかり易く表示して番組選択を容易にする。【解決手段】本発明の録画再生装置１は、録画された複数の番組の中からユーザに番組選択をさせるために、録画された複数の番組の番組表示を行う番組表示手段と、複数の番組の中で、連続番組として録画された番組の録画総数を取得する連続番組録画総数取得手段とを有する。番組表示手段は、表示する番組が連続番組であるとき、番組表示に録画総数を含めて表示する。【選択図】図２
2006186663.tif 000002
【特許請求の範囲】
【請求項１】
複数の番組を録画し再生する録画再生装置であって、
録画された前記複数の番組の中からユーザに番組選択をさせるために、録画された前記複数の番組の番組表示を行う番組表示手段と、
前記複数の番組の中で、連続番組として録画された番組の録画総数を取得する連続番組録画総数取得手段とを有し、
前記番組表示手段は、表示する番組が前記連続番組であるとき、前記番組表示に前記録画総数を含めて表示することを特徴とする録画再生装置。
【請求項２】
前記番組表示手段は、表示する番組が前記連続番組であるとき、録画された前記連続番組の中における未再生の前記連続番組の最も古く録画された番組の録画順位を、前記番組表示に含めて表示することを特徴とする請求項１記載の録画再生装置。
【請求項３】
前記番組表示手段は、表示する番組が前記連続番組であるとき、録画された前記連続番組の中における未再生の前記連続番組の数を、前記番組表示に含めて表示することを特徴とする請求項１又は請求項２記載の録画再生装置。
【請求項４】
前記番組表示手段は、録画された前記複数の番組のそれぞれの録画時間あるいはデータ容量に比例したグラフを前記番組表示に含めて表示することを特徴とする請求項１から請求項３のいずれか記載の録画再生装置。
【請求項５】
複数の番組を録画し再生する録画再生方法であって、
録画された前記複数の番組の中からユーザに番組選択をさせるために、録画された前記複数の番組の番組表示を行う番組表示ステップと、
前記複数の番組の中で、連続番組として録画された番組の録画総数を取得する連続番組録画総数取得ステップとを有し、
前記番組表示手段は、表示する番組が前記連続番組であるとき、前記番組表示に前記録画総数含めて表示することを特徴とする録画再生方法。
【発明の詳細な説明】
【技術分野】
【０００１】
本発明は、録画再生装置及び録画再生方法に関し、特に、複数の番組を録画し再生する録画再生装置及び録画再生方法に関する。
【背景技術】
【０００２】
近年、テレビ放送される番組をハードディスク装置等の記録媒体に録画し再生できる録画再生装置が広く普及している。このような装置では、録画データをランダムアクセスできるため、複数の番組が録画されている場合に、録画済みの番組一覧をテレビの画面に表示させて、ユーザは観たい番組を選択して再生することができる。
【０００３】
このような録画再生装置の記録媒体は、記憶容量が大きいため、記録されている番組数も多くなると、番組一覧から観たい番組を選択する操作において、番組一覧が表示される画面スペースは限られているため、いわゆる画面をスクロールする操作も多くなり、ユーザにとっては繁雑となる。例えば、定期的に録画している番組、例えば毎日録画している番組であっても、番組一覧では、番組の表示が日付順に表示されるため、一覧の中に点在し、番組の選択操作は煩雑となる。
【０００４】
そこで、特開2003-163916号公報には、毎日録画するような同種の番組をグループ化して表示する技術が提案されている。その提案に係る技術によれば、グループ化することによって、グループ化されたタイトルを選択するだけで、同種の番組を連続して再生したりすることができる。
【特許文献１】特開2004-133984号公報
【発明の開示】
【発明が解決しようとする課題】
【０００５】
しかし、上記提案によれば、同種の番組を単にグループ化するだけであり、連続番組、例えば毎週録画しているような番組がいくつ録画されているかは、そのグループのタイトルを選択して録画されている番組のリストを表示させなければわからなかった。
【０００６】
本発明は、記録されている複数の番組の中から、連続番組の録画総数をわかり易く表示して番組選択を容易にする録画再生装置及び録画再生方法を提供することを目的とする。
【課題を解決するための手段】
【０００７】
本発明の録画再生装置は、複数の番組を録画し再生する録画再生装置であって、録画された前記複数の番組の中からユーザに番組選択をさせるために、録画された前記複数の番組の番組表示を行う番組表示手段と、前記複数の番組の中で、連続番組として録画された番組の録画総数を取得する連続番組録画総数取得手段とを有し、前記番組表示手段は、表示する番組が前記連続番組であるとき、前記番組表示に前記録画総数を含めて表示する。
【発明の効果】
【０００８】
本発明によれば、記録されている複数の番組の中から、連続番組の録画総数をわかり易く表示して番組選択を容易にすることができる。
【発明を実施するための最良の形態】
【０００９】
以下、図面を参照して本発明の実施の形態を説明する。  
まず、図１に基づき、本実施の形態に係わる録画再生装置の構成を説明する。図１は、本実施の形態に係わる録画再生装置の構成を示すブロック図である。  
図１に示される録画再生装置１は、例えば家庭内の装置であって、リモコン２からのユーザの操作信号を受信するユーザ入力部３と、アンテナ４からの電波信号に基づいてテレビ放送を受信するチューナ５と、チューナ５からの映像信号及び音声信号をハードディスク装置６に記録できるＭＰＥＧ（Moving Picture Expert Group）２形式に変換するエンコーダ７と、ハードディスク装置６に記録されているＭＰＥＧ２形式のデータをテレビ装置（以下、単にテレビという）８に表示出力及び音声出力ができるように、映像／音声に変換するデコーダ９と、ユーザに対して現在の録画再生装置１の状態等をテレビ８の画面上に表示するためのＯＳＤ（On Screen Display）表示部１０と、デコーダ９からの映像とＯＳＤ表示部１０からのＯＳＤ表示部１０からの表示を合成するオーバーレイ部１１と、録画再生装置１を制御するための中央処理装置（以下、ＣＰＵという）１２と、ＣＰＵ１１の制御用プログラムが記録されたＲＯＭ（Read Only Memory）１３と、ＣＰＵ１２の作業用メモリとして用いられるＲＡＭ（Random Access Memory）１４と、インターネットなどのネットワークに接続するためのネットワークインターフェース（以下、Ｎ／Ｗ部という）１５とを有している。ユーザ入力部３、ハードディスク装置６、エンコーダ７、デコーダ９、ＯＳＤ表示部１０、ＣＰＵ１２、ＲＯＭ１３、ＲＡＭ１４及びＮ／Ｗ部１５は、バス１６に接続されている。
【００１０】
記録媒体であるハードディスク装置６には、アンテナ４で受信したテレビ番組（以下、単に番組ということもある）が記録、すなわち録画される。なお、チューナ５により受信される番組がＭＰＥＧ２形式の信号のときは、エンコーダ７を介さずにチューナ５から直接バス１６に出力される。
【００１１】
本実施の形態では、Ｎ／Ｗ部１５は、録画再生装置１が後述するＥＰＧ（Electronic Program Guide：電子番組ガイド）のデータをインターネット等のネットワークから取得するために用いられるが、ＥＰＧデータは、テレビ放送に含まれるデータから取得してもよい。
【００１２】
録画再生装置１は、録画予約あるいはダイレクト録画の指示に応じて、指定された番組のデータをハードディスク装置６に記録し、再生することができる。本実施の形態では、ハードディスク装置６には、録画予約データと、番組表示データと、サムネイル画像データ、及び番組データ本体とが記録される。従って、ハードディスク装置６は、これらの各データを記録する記録領域として、録画予約データ部６ａ、番組表示データ部６ｂ、サムネイル画像データ部６ｃ及び番組データ本体部６ｄを有する。なお、録画予約データは、フラッシュメモリに記録されることもある。録画予約データと番組表示データには、それぞれ録画の日時（日付、曜日、録画開始時刻等）と、録画する（あるいは録画した）チャンネル、番組タイトル等が含まれる。サムネイル画像は、録画した番組のある時の静止画である。番組データ本体とは、録画された放送番組の映像データ（音声データを含む。以下同じ。）そのものであり、ここではＭＰＥＧ２形式のデータである。これらのデータの詳細については後述する。
【００１３】
図２は、録画再生装置１が、ハードディスク装置６に録画された複数の番組の一覧をテレビ装置８の画面上に表示し、複数の番組の中からユーザに番組選択をさせるための番組選択画面の例を示す図である。
【００１４】
番組選択画面２０は、録画済みの番組に対応して表示される各番組表示を含む。各番組表示は、本実施の形態では、行単位で表示される。各行は、サムネイル表示部２２、録画日表示部２３、録画時刻表示部２４、チャンネル表示部２５、タイトル表示部２６及び連続番組の場合の録画総数表示部２７を含む。
【００１５】
なお、連続番組とは、定期的に放送される番組（例えば、月曜日から土曜日の毎日同時刻に放送される連続ドラマ、毎週同じ曜日同時刻に放送される連続ドラマ）、同じあるいは略同じ時間帯に放送されるシリーズ番組、時間帯は異なってもある点（例えば、特定の出演者、特定のテーマ）で共通する番組等をいう。
【００１６】
図２の番組選択画面は、ユーザが、録画された番組を再生する、録画された番組をＤＶＤ（Digital Versatile Disk）等の記録媒体に記録する（いわゆる焼き付ける）、視聴済みの録画された番組を消去する等の種々の操作を行うときに表示され、ユーザにその操作対象言い換えると処理対象を選択させるための画面である。例えば、ユーザは、リモコン２を操作して、図２の番組選択画面を画面上に表示させ、表示された複数の録画番組の中から、再生対象番組すなわち観たい番組を選択することができる。録画再生装置１に対して、ユーザが例えばリモコン２を操作して、録画済みの番組一覧を表示させると、図２の番組選択画面２０が、いわゆるライブラリ表示画面として、テレビ８の画面２１上に表示される。番組選択画面２０は、後述するように、ＣＰＵ１２がＲＯＭ１３に記憶された所定のプログラムを実行することによって、番組選択画面用データが生成され、ＯＳＤ表示部１０を介してテレビ８の画面に表示される。従って、ＣＰＵ１２とそのプログラムが、番組選択画面２０の表示を行う番組表示手段を構成し、そのプログラムの各ステップが番組表示ステップを構成する。
【００１７】
サムネイル表示部２２は、録画された番組のある時の静止画を小さくした画像を表示する部分である。また、録画総数表示部２７は、表示する番組が連続番組であるときに所定の表示内容を表示する部分である。録画総数表示部２７は、記号「／」の右が、その行に対応する連続番組の録画総数を示し、記号「／」の左は、連続番組の録画順位の中で、最も時間的に古く録画された未視聴の番組データの順位を示す数である。言い換えると、記号「／」の左は、録画された複数の連続番組の中における、未再生の連続番組の最も古く録画された番組の録画順位を示す。
【００１８】
例えば、番組表示２１Ａにおいて、「２７／３０」は、その連続番組が全部で３０本録画されている中で、すなわち録画総数が「３０」で、２７番目に録画されたものは未視聴であることを示している。同時に、２７番目に録画された連続番組が、未視聴の連続番組の中で最も古いものであることを示している。同様に、番組表示２１Ｄにおいて、「０２／０４」は、その連続番組は、全部で４本録画されており、その中で、２番目に録画されたものは未視聴の最も古いものであることを示している。  
なお、連続番組であるときのサムネイル画像は、未視聴で最も古い番組のサムネイル画像である。図２では、番組Ａは、録画数表示部２７に「２７／３０」が表示されているため、２７番目の番組のサムネイル画像がサムネイル画像データ部６ｃから読み出されて表示される。  
従って、番組表示は、上述したような番組の内容情報、録画情報等を含み、さらに、表示する番組が連続番組であるとき、録画総数表示部２７に所定の表示内容を含む。
【００１９】
図２に示した番組選択画面２０の各表示部のデータがどのように生成されるかについては、後述する。  
次に、録画予約時に作成される録画予約データについて説明する。図３は、録画予約データの例を示す図である。録画予約データは、ユーザが例えばリモコン２を操作して、録画予約操作を行った結果として生成されるデータである。
【００２０】
図３に示すように、録画予約データ部６ａに記憶される録画予約データ３０は、それぞれ、予約管理識別子（以下、識別子はＩＤと略す）３１、録画の日付３２、録画開始時刻３３、録画終了時刻３４、録画する番組のチャンネル３５、番組のタイトル３６、出演者３７、連続番組であるときのＩＤ（連続番組管理ＩＤ）３８、及び連続番組の通し番号３９の各データを含む。
【００２１】
予約管理ＩＤ３１は、録画予約がされると録画再生装置１が自動的に発番され付与するユニークな情報である。録画の日付３２、録画開始時刻３３、録画終了時刻３４及び録画する番組のチャンネル３５は、ユーザによって録画予約するときに、リモコン２等を操作して入力された、あるいは、ＥＰＧ等の電子番組表の中から選択された番組のデータである。番組のタイトル３６及び出演者３７の情報は、予約時にインターネットからＮ／Ｗ部１５を介して取得したＥＰＧデータの中から選択されて書き込まれるデータである。連続番組管理ＩＤ３８及び通し番号３９は、録画再生装置１が自動的に付与する情報である。連続番組管理ＩＤ３８は、ユニークな情報である。
【００２２】
連続番組管理ＩＤ３８及び通し番号３９について詳述する。録画再生装置１は、連続番組管理ＩＤ３８及び通し番号３９の付与及び書き込みを、ユーザの録画予約操作時に行うが、その付与及び書き込みをする、あるいは書込みしないの判断は、例えば、次の４つの方法（ａ）から（ｄ）がある。
【００２３】
（ａ）ユーザが録画予約するときに、例えば「毎週日曜日の７時から７時３０分に３チャンネルを録画する」という予約操作（以下、定期的予約という）を行うと、録画再生装置１は、連続番組管理ＩＤ３８を発番して付与し、かつ連続番組の録画通し番号である通し番号３９として「１」を書き込む。
【００２４】
なお、その後、録画再生装置１が録画予約データに基づいて録画を行ったときには、録画を行った毎に、通し番号のデータを１つインクリメントしたデータを書き込む。
【００２５】
（ｂ）また、ユーザが録画予約するときに、例えば、ある日の特定の時間にあるチャンネルを録画する」という予約操作を行ったときに、録画再生装置１は、例えば前週の同時間に同チャンネルが録画されていたかをチェックし、前週の同時間に同チャンネルが録画されていれば、テレビ８の画面に例えば、「先週録画したものとシリーズものですか？」というユーザへの確認用のポップアップのメッセージを表示する。
【００２６】
このメッセージに対して、ユーザが「はい」という確認操作をしたとき、録画再生装置１は、後述する番組表示データ中の先週同時刻に録画したもののデータについて連続番組管理ＩＤ３８が付与されていなければ、連続番組管理ＩＤ３８を付与し、かつ連続番組の録画通し番号である通し番号３９として「２」を書き込む。同時に、その先週録画したもののデータについても、同じ連続番組管理ＩＤ３８を付与し、かつ連続番組の録画通し番号である通し番号３９として「１」を書き込む。
【００２７】
もしも、その先週録画したもののデータについて連続番組管理ＩＤ３８が付与されていれば、番組表示データ中の先週同時刻に録画したものの連続番組管理ＩＤ３８と同じＩＤを付与し、かつ通し番号のデータを１つインクリメントしたデータを書き込む。
【００２８】
（ｃ）また、ユーザが録画予約したときに、例えば、ＥＰＧデータの番組タイトルが、後述する番組表示データ中にある番組タイトルと同じときも、同様に、例えば「先週録画したものとシリーズものですか？」というユーザへの確認用のメッセージを表示し、上述した（ｂ）の確認操作をユーザにさせることによって、連続番組管理ＩＤ３８と通し番号３９の付与と書き込みを行う。
【００２９】
（ｄ）さらに、ユーザが録画予約したときに、例えば、ＥＰＧデータの番組タイトルが、後述する番組表示データ中にある番組タイトルと同じではないが類似するときも、同様に、例えば「先週録画したものとシリーズものですか？」というユーザへの確認用のメッセージを表示し、上述した（ｂ）の確認操作をユーザにさせることによって、連続番組管理ＩＤ３８と通し番号３９の付与と書き込みを行う。
【００３０】
このタイトルの類似は、例えば、番組タイトルのテキスト比較を行い、一致するテキスト文字の、全体のテキストに対する割合を算出し、所定の閾値以上か否かによって、判断することができる。その割合が、所定の閾値以上であれば類似するとする。
【００３１】
以上の（ａ）から（ｄ）の処理を行うことによって、録画予約データ３０中の連続番組管理ＩＤ３８及び通し番号３９の各データを生成することができる。
【００３２】
なお、上記（ｂ）、（ｃ）及び（ｄ）の処理は、番組録画が終了したときに、実行されるようにしてもよい。さらに、上記（ｂ）、（ｃ）及び（ｄ）の処理は、新たな番組を録画した後、初めて番組選択画面２０を表示したときに、あるいは番組選択画面を表示した際の任意の時点で、実行されるようにしてもよい。上記（ｂ）、（ｃ）及び（ｄ）の処理を、番組録画の終了、あるいは新たな番組を録画した後、初めて番組選択画面２０を表示したときに実行するようにできると、タイトル等は違っていても、ユーザの判断によって、連続番組としてグループ化できるというメリットがある。
【００３３】
さらになお、以上の連続番組管理ＩＤ３８及び通し番号３９の付与及び書き込みをする処理も、ＲＯＭ１３に書き込まれたプログラムによって行われる。
【００３４】
そして、録画再生装置１は、図３の録画予約データに基づいて番組録画を行い、録画が終了すると、番組表示データを生成する。図４は、その番組表示データの例を示す図である。図５は、番組の録画処理が終了したときに実行される番組表示データ生成処理の例を示すフローチャートである。
【００３５】
図４に示すように、番組表示データ４０は、各回の録画番組のメタデータとして、表示用管理ＩＤ４１、録画の日付４２、録画開始時刻４３、録画終了時刻４４、録画された番組のチャンネル４５、番組のタイトル４６、出演者４７、連続番組管理ＩＤ４８、連続番組の通し番号４９、及びユーザによってその番組が視聴、すなわち録画された番組の映像データが再生されたことを示す視聴状況５０の各データを含む。
【００３６】
録画再生装置１は、番組データ本体の記録が終了すると、図５の処理を実行する。まず、録画再生装置１は、図４の番組表示データ４０の各データを、ハードディスク装置６中の番組表示データ部６ｂに記録する番組表示データ記録処理を実行する（ステップＳ１）。
【００３７】
この番組表示データ記録処理では、各データを次のようにして書き込む。  
表示用管理ＩＤ４１は、録画再生装置１が自動的に発番して付与する情報である。なお、この表示用管理ＩＤ４１は、予約管理ＩＤ３１と同じであっても良い。録画の日付４２、録画開始時刻４３、録画終了時刻４４及び録画された番組のチャンネル４５は、図３に示す録画予約データ３０から複製されるデータである。番組のタイトル４６及び出演者４７の情報は、録画終了時（あるいは録画開始時）にインターネットからＮ／Ｗ部１５を介して取得した最新のＥＰＧデータの中から選択されて書き込まれるデータである。連続番組管理ＩＤ４８及び通し番号４９は、図３に示す録画予約データ３０の連続番組管理ＩＤ３８及び通し番号３９から複製されて書き込まれたデータである。視聴状況５０のデータは、未視聴を示す例えば「未」のデータが書き込まれる。  
なお、視聴状況データ５０は、その番組の映像データが再生されると、その番組が視聴されたことを示す例えば「済」のデータが書き込まれる。
【００３８】
さらに、録画再生装置１は、録画した各番組データ本体のデータ、すなわちＭＰＥＧ２形式で録画された映像データを、図４の番組表示データ４０と関連付けて（例えば、表示用管理ＩＤ４１と関連付けて）、ハードディスク装置６中の映像データを記録する番組データ本体部６ｄに、録画済みの映像データとして記録する映像データ記録処理を実行する（ステップＳ２）。
【００３９】
そして、記録した映像データのサムネイル画像データを生成し、図４の番組表示データ４０と関連付けて（例えば、表示用管理ＩＤ４１と関連付けて）、ハードディスク装置６中のサムネイルデータ部６ｃに、サムネイル画像データとして記録するサムネイル画像データ記録処理を実行する（ステップＳ３）。なお、サムネイル画像は、番組の録画開始時の画面ではなく、コマーシャルの放送時間を考慮して、録画開始後所定の時間経過時の画面であってもよい。  
なお、各ステップＳ１からＳ３の処理の順番は、種々変更可能である。
【００４０】
以上のようにして、録画予約された番組毎に、番組表示データが作成され、記録され、録画予約された番組の映像データが、録画再生装置１のハードディスク装置６の所定の記憶領域に、番組表示データ４０と関連付けて記録される。ユーザは、このようにして録画された番組について、番組を視聴（再生）する、録画された番組をＤＶＤに焼き付ける、視聴済みの番組を消去する等の種々の操作を行うことになる。そのような種々の操作を行うときに、画面２の番組選択画面２０が表示される。
【００４１】
次に、ユーザがリモコン２を操作して図２の番組選択画面２０を表示する指示を行って、録画再生装置１が番組選択画面２０をテレビ８の画面に表示する処理について説明する。図６は、番組選択画面の表示処理の流れの例を示すフローチャートである。図６の処理は、番組表示データ４０の中から１つ１つのデータを順番に読み出して、次に述べる処理を行っていく。  
なお、上述した図４の処理と図６の処理は、ＲＯＭ１３に書き込まれたプログラムによって行われる。
【００４２】
例えば、番組表示データ４０が、録画開始日時で古い順にソートされているとし、順番に読み出されるが、初めは最初の、すなわちもっと録画開示日時の古い番組の番組表示データを読み出される（ステップＳ１１）。
【００４３】
読み出された番組表示データについて、連続番組管理ＩＤ４８のデータの有無をチェックし、その番組が連続番組か否かを判断する（ステップＳ１２）。その番組が連続番組であれば、ステップＳ１２でＹＥＳとなり、連続番組管理ＩＤ４８のデータが同じ番組表示データを検索する（ステップＳ１３）。
【００４４】
次に、検索されたその連続番組の番組表示データの録画総数、すなわち録画合計数を算出して取得する（ステップＳ１４）。なお、録画総数は、検索して抽出された番組表示データの数でもよいし、あるいはその抽出された番組表示データの中で、通し番号のもっとも大きな数を、録画総数としてもよい。いずれの方法によって、その連続番組の録画総数を取得してもよい。
【００４５】
続いて、検索された番組表示データの中で、未視聴で、かつ最も古く録画された番組の録画順位を算出して取得する（ステップＳ１５）。具体的には、例えば、図４の表示用管理ＩＤが「ｄ００１０１」の番組表示データは、連続番組管理ＩＤが「００２」であり、他に同じ連続番組管理ＩＤの番組表示データが４つ（すなわち、録画総数が４で）あったとする。そして、４つの内の未視聴のものの中で時間経過において２番目の順位の番組が最も古いときには、最も古い未視聴の番組の順位は、「２」と算出される。  
ステップＳ１４が、録画総数取得手段と録画総数取得ステップを構成し、ステップＳ１５が、連続番組の未再生のものの中で最も古い番組の録画順位を取得する録画順位取得手段と録画順位取得ステップを構成する。
【００４６】
そして、ステップＳ１４とＳ１５において算出された、録画総数と、最も古い未視聴の番組の録画順位を示す数（小さい番号）とから、図２の録画数表示部２７の表示データを生成する（ステップＳ１６）。具体的には、本実施の形態では、図２に示すように、録画数表示部２７の表示データは、記号「／」を用いて、「（未視聴の中で最も古く録画された番組の録画順位）／（録画総数）」のデータである。図２の例において、「０２／０４」は、連続番組管理ＩＤが「００２」の連続番組は、全部で４つ録画されており、未視聴のものの中では、２番目の映像データが最も古いことを示す。
【００４７】
そして、上述したように、図２の番組選択画面２０の各行は、サムネイル表示部２２、録画日表示部２３、録画時刻表示部２４、チャンネル表示部２５、タイトル表示部２６及び連続番組の場合の録画数表示部２７を含む。そこで、録画再生装置１は、番組選択画面２０を構成する番組選択画面用データを生成する（ステップＳ１７）。番組選択画面用データは、サムネイル表示部２２の表示データについては、サムネイルデータ部６ｃから読み出し、録画日表示部２３、録画時刻表示部２４、チャンネル表示部２５及びタイトル表示部２６の表示データについては、図４の番組表示データ４０から読み出し、録画数表示部２７の表示データについては、ステップＳ１６で生成されたデータである。
【００４８】
なお、連続番組であるときのサムネイル画像は、未視聴で最も古い番組のサムネイル画像である。図２では、番組Ａは、録画数表示部２７に「２７／３０」が表示されているため、２７番目の番組のサムネイル画像がサムネイル画像データ部６ｃから読み出される。
【００４９】
全ての番組表示データについて、処理が終了したか否かを判断し（ステップＳ１８）、全ての番組表示データについて処理が行われていなければ、ステップＳ１８でＮＯとなり、ステップＳ１１に戻る。処理は、ステップＳ１１に戻ると、番組表示データ４０の次の番組表示データを読み出し、Ｓ１２からＳ１８の処理を繰り返す。
【００５０】
ステップＳ１２でＮＯの場合、すなわち読み出した番組表示データの連続番組管理ＩＤが無い場合は、ステップＳ１７に移行する。その場合は、図２の番組選択画面用データにおける録画数表示部２７の表示データは作成されず、図２の番組選択画面２０においては、録画数表示部２７は表示されないが、録画数表示部２７以外は表示される。
【００５１】
なお、録画数表示部２７には何も表示されないようにしてもよいが、記号「−」等を表示するようにしてもよい。さらになお、その場合に、録画数表示部２７の表示データとして、「１／１」を固定データとし、図２の番組選択画面２０において「１／１」を表示するようにしてもよい。
【００５２】
ステップＳ１８でＮＯの場合は、ステップＳ１１に戻り、番組表示データ４０の次の番組表示データが読み出されるが、ステップＳ１３で同一の連続番組として検索されて抽出された番組表示データについては、既にその検索により読み出されているので、ステップＳ１１では読み出されずに、飛ばされて、その次の未だ読み出されていない番組表示データが読み出される。
【００５３】
そして、ステップＳ１８において、ＹＥＳの場合、すなわち、全ての番組表示データについて、Ｓ１１からＳ１８までの処理が終了したときは、ステップＳ１８でＹＥＳとなり、ステップＳ１７で生成した番組選択画面用データを合成して、図２の番組選択画面２０を作成して、テレビ８の画面に表示する（ステップＳ１９）。
【００５４】
ステップＳ１９で画面に表示するときは、例えば録画日時の古い順に、番組選択画面データを並べて表示する。
【００５５】
図２では、各番組選択画面データは、録画日時の古い順に並んで表示されている。この連続番組でないものは、録画数表示部２７に、記号「−」が表示され、連続番組であるものは、録画数表示部２７に、記号「／」が用いられて表示されているので、ユーザは、番組選択画面２０において録画数表示部２７を観ると、どれが連続番組であるか、否かかがすぐに解る。
【００５６】
また、録画数表示部２７には、記号「／」が用いられて「未視聴の中で最も古く録画された番組の録画順位）／（録画総数）」が表示されているため、ユーザは録画総数をすぐに理解することができる。さらに、未視聴の中で最も古く録画された番組の順位もすぐに理解することもできる。
【００５７】
具体的に説明すれば、図２では、番組Ａは、録画数表示部２７には、「２７／３０」が表示されているため、連続番組であって、ユーザは、その連続番組の録画総数が「３０」で、さらに、未視聴で最も古い番組の順位は「２７」であることがすぐに理解することができる。同様に、番組Ｄは、録画数表示部２７には、「０２／０４」が表示されているため、連続番組であって、ユーザは、その連続番組の録画総数が「４」で、さらに、未視聴で最も古い番組の順位は「２」であることがすぐに理解することができる。
【００５８】
以上説明したように、録画された番組を再生等しようとして、ユーザがリモコン２を操作して図２の番組選択画面の表示を録画再生装置１に指示すると、録画再生装置１は、図４の表示管理データ４０とサムネイル画像データを用いて、図２の番組選択画面２０を生成する。
【００５９】
なお、図６の処理において、録画総数と、未視聴で最も古い番組の順位とを図４の番組表示データから取得しているが、連続番組については、録画総数と順位のデータを、別のデータとして保持するようにして、そのデータから単に読み出すことによって取得するようにしてもよい。
【００６０】
図７は、連続番組関連データを別に保持する場合のデータの例を示す図である。図７に示すように、連続番組関連データ６０は、録画された連続番組についてのメタデータであり、連続番組管理ＩＤ６１、録画総数６２，番組のタイトル６３、及び未視聴の中でもっとも古い番組の順位を示す未視聴順位６４を含む。この連続番組関連データ６０の各データは、録画予約処理、録画処理、再生処理に応じて、生成、変更等される。
【００６１】
番組選択画面２０の第１の変形例について説明する。  
連続番組については、ステップＳ１５において未視聴の連続番組を検索しているので、番組選択画面において、その検索結果得られた未視聴の連続番組の数、すなわち未再生の連続番組の数を表示するようにしてもよい。図８は、連続番組の未視聴数を表示する未視聴数表示部２７ａを有する番組選択画面の例を示す図である。図８に示すように、番組選択画面２０ａにおいて、録画数表示部２７の近傍に未視聴数表示部２７ａが設けられ、未視聴数が表示されている。
【００６２】
次に、番組選択画面２０の第２の変形例について説明する。  
録画再生装置１は、番組データ本体の記録が終了すると、図４の番組表示データ４０の各データを、ハードディスク装置６中の番組表示データ部６ｂに記録するが、このときに、録画した番組の録画時間とデータ容量を併せて、番組表示データとして記録するようにする。図９は、その録画時間とデータ容量のデータも含む番組表示データの例を示す図である。
【００６３】
図９に示すように、番組表示データ４０ａに、録画した番組の録画時間５１とデータ容量５２の各データも含む。そして、図６の番組選択画面の表示処理において、ステップ１７の番組選択画面用データを生成するときに、録画時間あるいはデータ容量のデータも、一緒に作成される。そのデータは、番組選択画面においてグラフ表示するときに利用される。
【００６４】
図１０は、各番組の録画時間あるいはデータ容量に比例したグラフを含む番組選択画面の例を示す図である。図１０に示すように、番組選択画面２０ｂおいて、各番組表示に、各番組の録画時間あるいはデータ容量に比例したグラフが含まれて表示される。
【００６５】
図１０の場合、番組選択画面２０ｂは、棒グラフ表示部２８を有する。棒グラフ表示部２８では、番組表示毎に、録画時間あるいはデータ容量に比例した長さの棒グラフが表示される。図１０の場合、番組表示２１Ａは、その連続番組が全部で３０本録画されていることを示しているが、さらに、棒グラフ表示を含み、その棒の全体の長さによって、ユーザは、その連続番組の録画時間あるいはデータ容量を、直感的に知ることができる。図１０では、番組表示２１Ａについての棒グラフの全体の長さＬ１と、個々の番組の長さＬ２とが表示されている。
【００６６】
同様に、番組表示２１Ｂについても、棒グラフ表示を含み、その棒の全体の長さによって、ユーザは、その番組の録画時間あるいはデータ容量を、直感的に知ることができる。図１０では、番組表示２１Ｂについての棒グラフは、連続番組でないので、全体の長さＬ３のみが表示されている。
【００６７】
なお、棒グラフの長さを、録画時間ではなくデータ容量、すなわちファイルサイズに比例して表示することは、録画ビットレートの違いにより、録画時間が同じであってもファイルサイズが異なれば、録画された番組のデータの記録媒体における占有割合が異なるので、ユーザには、録画再生装置１の記録媒体の容量管理がし易いというメリットがある。
【００６８】
従って、ユーザは、録画再生装置１において、各番組がどのぐらいの記録時間あるいはデータ容量を占めているかが直感的に把握できるので、ハードディスク装置６の容量が少なくなって、録画された番組を、ＤＶＤに焼き付ける、消去する等の処理を行うときに、このグラフ表示は、ユーザに極めて参考になる情報を提示することになる。
【００６９】
なお、棒グラフ表示部２８の各棒グラフは、図１０に示すように、各棒グラフが一つの消失点に向かうような奥行きを表現する表示であるが、各番組表示についての録画時間あるいはデータ容量に応じたグラフは、このような棒グラフに限定されず、録画時間あるいはデータ容量が把握できるような表示であればどのようなグラフでもよい。
【００７０】
なお、図１０において、各棒グラフの奥行き方向の側面部を情報表示部として利用してもよい。例えば、カーソルを移動して、その側面部の場所に移動させると、そのカーソルの指示する番組の詳細情報等が、吹き出し表示されるように、その側面部を情報表示部として利用することができる。
【００７１】
特に、連続番組の場合は、その側面部に通し番号を表示しておき、カーソルを移動して、その側面部の場所に移動させると、そのカーソルの指示する通し番号の回の番組の詳細情報等が、吹き出し表示されるようにするようにしてもよい。図１１は、その側面部において詳細情報を吹き出し表示した場合の例を示す図である。図１１において、吹き出し２８ａには、番組のタイトル、出演者などの情報が表示されている。さらに、その側面部にカーソルを移動し選択状態にして、例えば再生ボタンを押すと、その回の番組が再生されるようにするとさらに操作性は向上する。
【００７２】
次に、図２等に示す番組選択画面の利用方法について説明する。図２等に示す番組選択画面が表示されたときに、ユーザは、リモコン２の操作ボタンを操作することによって、例えば画面スクロール等を行うことができる。そして、番組選択画面において、カーソルを移動して、観たい番組表示をカーソルにより指定した状態で、再生、削除等のボタンを押すと、その指定された番組が再生、削除等される。その他、カーソルで指定された番組について所定の操作を行うことができる。
【００７３】
連続番組についても、観たい連続番組の番組表示をカーソルにより指定した状態で、再生ボタン等を押せば、そのときに録画数表示部２７に表示されている、デフォルト表示である「未視聴の中で最も古く録画された番組の録画順位」の番組について、再生、削除等が行われる。
【００７４】
このとき、次のような操作に応じて、ユーザが連続番組についての番組選択を行うことができる。  
連続番組は、複数の番組を含み、かつその中には未視聴の番組も含まれる。よって、ユーザにとっては、連続番組については、通し番号順にインクリメントあるいはデクリメントしたり、未視聴のものだけを順番にインクリメントあるいはデクリメントしたり、あるいは通し番号順と未視聴のものだけを順番の両方でインクリメントあるいはデクリメントしたり出来ると便利である。リモコン２の各ボタン、例えば「＞」、「＞＞」、「＜」、「＜＜」等のキーを用いて、その操作が可能となる。
【００７５】
図２において、連続番組である番組表示２１Ｄの録画数表示部２７の「未視聴の中で最も古く録画された番組の録画順位」の表示フィールドにカーソルを移動して当て、その状態で、「＞」キーを１回押すと、録画数表示部２７の表示は、「０２／０４」から「０３／０４」に変更される。さらに、「＞」キーを連続して押すと、録画数表示部２７の表示は、「０３／０４」から「０４／０４」へ、さらに「０４／０４」から「０１／０４」へ、「０１／０４」から「０２／０４」へと変更されていく。なお、「＜」キーの場合は、「未視聴の中で最も古く録画された番組の録画順位」の部分は、通し番号順に応じてデクリメントされていく。
【００７６】
また、番組表示２１Ｄの連続番組において、２回目と４回目のみが未視聴であるとき、同様に、録画数表示部２７の「未視聴の中で最も古く録画された番組の録画順位」の表示フィールドにカーソルを移動して当て、その状態で、「＞＞」キーを１回押すと、録画数表示部２７の表示は、「０２／０４」から「０４／０４」に変更される。さらに、「＞＞」キーを連続して押すと、録画数表示部２７の表示は、「０４／０４」から「０２／０４」へ、さらに「０２／０４」から「０４／０４」へと変更されていく。なお、「＜＜」キーの場合は、「未視聴の中で最も古く録画された番組の録画順位」の部分は、未視聴のものの通し番号順にデクリメントされていく。
【００７７】
なお、「＞＞」あるいは「＜＜」のキーを押すと、視聴済みの番組を飛ばすのではなく、未視聴の番組を飛ばすようにしてもよい。例えば、視聴済みの番組が表示されている状態で、「＜＜」あるいは「＞＞」のキーを押すと、未視聴の番組を飛ばし、未視聴の番組が表示されている状態ならば視聴済みの番組をスキップする等してもよい。
【００７８】
なお、図１２に示すように、選択される番組が未視聴であることを示す未視聴表示部２７ｂを、録画数表示部２７の近傍に設けてもよい。図１２は、未視聴表示部２７ｂを有する番組選択画面の例を示す図である。図１２に示すように、番組選択画面２０ｃにおいて、録画数表示部２７の近傍に未視聴表示部２７ｂが設けられ、選択される番組が未視聴であることが表示されている。従って、「＞」と「＜」のキーを用いて、録画数表示部２７の表示を変更して行ったときに、ユーザはどれが未視聴かを容易に把握することができる。
【００７９】
なお、図１２では、選択された番組、ここでは順位が表示されている番組が未視聴であることを文字「未視聴」で示しているが、文字ではなくて、録画数表示部２７の全体あるいは一部の表示の色を変更して、未視聴であることを表示するようにしてもよい。
【００８０】
さらになお、リモコン２の所定のキーを押すと、録画番組の中で最新の番組に飛ぶようにしてもよい。そのようにすると、例えば、録画数表示部２７に、「２７／３０」が表示されている状態で、その所定のキーを押すと、録画数表示部２７には、「３０／３０」が表示され、最新の番組を選択できることになる。
【００８１】
以上のように、番組表示２１Ｄの録画数表示部２７の「未視聴の中で最も古く録画された番組の録画順位」の表示フィールドにカーソルを移動して当て、その状態で所定の操作を行うと、連続番組については、通し番号順にインクリメントあるいはデクリメントしたり、未視聴のものだけを順番にインクリメントあるいはデクリメントしたりすることができるので、ユーザにとっては操作性がよい。
【００８２】
さらに、リモコン２に「全選択」の機能を所定のキーに割り当てておき、連続番組の番組表示をカーソルにより指定した状態において、その所定のキーを押すと、その連続番組の全てを操作対象として選択でき、再生、ダビング、削除等の処理を行うことができるようにしてもよい。
【００８３】
以上のように、本発明の実施の形態によれば、記録媒体であるハードディスク装置に記録されている複数の番組の中から、番組選択画面に連続番組の録画総数が表示されるので、ユーザは、連続番組がいくつ録画されているかがすぐに解る。
【００８４】
また、連続番組において、未視聴の中で最も古いもの順位が番組選択画面に表示されるので、ユーザは、連続番組の未視聴の中で最も古いものを容易にわかり、かつ選択することができる。
【００８５】
なお、以上の実施の形態では、番組を録画する記録媒体として、ハードディスク装置を用いて説明したが、ＤＶＤ、半導体メモリなどの記録あるいは記憶装置であってもよい。
【００８６】
なお、以上説明した動作を実行するプログラムは、フロッピー（登録商標）ディスク、ＣＤ−ＲＯＭ等の可搬媒体や、ハードディスク等の記憶装置等に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明の録画再生装置を実現することができる。
【００８７】
本発明は、上述した実施の形態に限定されるものではなく、本発明の要旨を変えない範囲において、種々の変更、改変等が可能である。
【産業上の利用可能性】
【００８８】
本発明は、家庭用の録画再生装置だけでなく、家庭用以外の装置においても適用することができるものである。
【図面の簡単な説明】
【００８９】
【図１】本発明の実施の形態に係わる録画再生装置の構成を示すブロック図である。
【図２】本発明の実施の形態に係わる番組選択画面の例を示す図である。
【図３】本発明の実施の形態に係わる録画予約データの例を示す図である。
【図４】番組表示データの例を示す図である。
【図５】番組表示データ生成処理の例を示すフローチャートである。
【図６】番組選択画面の表示処理の流れの例を示すフローチャートである。
【図７】連続番組関連データを別途保持する場合のデータの例を示す図である。
【図８】連続番組の未視聴数を表示する未視聴数表示部を有する番組選択画面の例を示す図である。
【図９】録画時間とデータ容量のデータも含む番組表示データの例を示す図である。
【図１０】各番組の録画時間あるいはデータ容量に比例したグラフを含む番組選択画面の例を示す図である。
【図１１】棒グラフの側面部において詳細情報を吹き出し表示した場合の例を示す図である。
【図１２】未視聴表示部を有する番組選択画面の例を示す図である。
【符号の説明】
【００９０】
１  録画再生装置、４  アンテナ、１６  バス、２０，２０ａ、２０ｂ、２０ｃ  番組選択画面
代理人    弁理士    伊  藤    進
【図１】
2006186663.tif 000003
【図２】
2006186663.tif 000004
【図３】
2006186663.tif 000005
【図４】
2006186663.tif 000006
【図５】
2006186663.tif 000007
【図６】
2006186663.tif 000008
【図７】
2006186663.tif 000009
【図８】
2006186663.tif 000010
【図９】
2006186663.tif 000011
【図１０】
2006186663.tif 000012
【図１１】
2006186663.tif 000013
【図１２】
2006186663.tif 000014